(57)【要約】【課題】建屋の天井空間に設置されるユニット本体の外側面に取付けられた電装箱を簡単に冷却できる空気調和装置を提供する。【解決手段】送風ファン２９Ａ、２９Ｂおよび室内熱交換器を収容したユニット本体５の外側面に電装箱４１を備えた空気調和装置において、電装箱４１が、制御基板４２を収納した収納部４５と、この収納部４５に連接され、互いの内部が連通し、空気の導入口４６および排出口４７を有した突出部４８とを備え、電装箱４１を、突出部４８をユニット本体５の外側面に設けた開口５２に挿入し、当該突出部４８を送風ファンの送風経路内に突出させた状態で、ユニット本体５の外側面に取付けた。【選択図】図３
2009030829.tif 000002
【特許請求の範囲】
【請求項１】
送風ファンおよび室内熱交換器を収容したユニット本体の外側面に電装箱を備えた空気調和装置において、
前記電装箱が、制御基板を収納した収納部と、この収納部に連接され、互いの内部が連通し、空気の導入口および排出口を有した突出部とを備え、前記電装箱が、前記突出部をユニット本体の外側面に設けた開口に挿入し、当該突出部を前記送風ファンの送風経路内に突出させた状態で、前記ユニット本体の外側面に取付けられていることを特徴とする空気調和装置。
【請求項２】
前記突出部は、前記送風ファンの吸込口の近接した位置に設けられたことを特徴とする請求項１に記載の空気調和装置。
【請求項３】
前記空気の排出口は、前記送風ファンの吸込口に対向する面に形成されていることを特徴とする請求項２に記載の空気調和装置。
【請求項４】
前記空気の導入口は、前記突出部の側面に設けられたことを特徴とする請求項３に記載の空気調和装置。
【発明の詳細な説明】
【技術分野】
【０００１】
本発明は、例えば建屋の天井空間に設置されるユニット本体の外側面に電装箱を備える空気調和装置に関する。
【背景技術】
【０００２】
従来、建屋の天井空間に設置され、熱交換器および送風ファンを収容したユニット本体の外側面に電装箱を備える空気調和装置が知られている（例えば、特許文献１参照）。
この種の空気調和装置では、ユニット本体は天井空間に設置されるため、このユニット本体内の熱交換器にて熱交換された空気を、例えば吹出ダクトを介して室内の適宜位置へ導き、室内に吹き出すことができるので、室内の美観を損なうことなく空気調和を実現することができる。
【特許文献１】特許第２５６２６７５号公報
【発明の開示】
【発明が解決しようとする課題】
【０００３】
ところで、電装箱には、送風ファンや熱交換器に接続される電子膨張弁の動作を制御する制御基板が収容されている。この制御基板は、上記送風ファンや電子膨張弁の運転動作に伴い発熱し、電装箱内の温度が上昇するため、当該電装箱を冷却する必要がある。
しかし、電装箱はユニット本体とともに天井空間に配置されているため、この電装箱に天井空間と連通する開口を設けたとしても、当該電装箱を十分に冷却することはできず、また、天井空間の空気は一般的に塵埃を多く含んでいるため、電装箱の開口に塵埃を除去するフィルタを要し、電装箱の構成が煩雑になるといった問題があった。
【０００４】
そこで、本発明の目的は、上述の事情を考慮してなされたものであり、建屋の天井空間に設置されるユニット本体の外側面に取付けられた電装箱を簡単に冷却できる空気調和装置を提供することにある。
【課題を解決するための手段】
【０００５】
上述課題を解決するため、本発明は、送風ファンおよび室内熱交換器を収容したユニット本体の外側面に電装箱を備えた空気調和装置において、前記電装箱が、制御基板を収納した収納部と、この収納部に連接され、互いの内部が連通し、空気の導入口および排出口を有した突出部とを備え、前記電装箱が、前記突出部をユニット本体の外側面に設けた開口に挿入し、当該突出部を前記送風ファンの送風経路内に突出させた状態で、前記ユニット本体の外側面に取付けられていることを特徴とする。
【０００６】
本発明では、ユニット本体の外側面に電装箱を備えた空気調和装置であっても、前記電装箱が、制御基板を収納した収納部と、この収納部に連接され、互いの内部が連通し、空気の導入口および排出口を有した突出部とを備え、前記電装箱が、前記突出部をユニット本体の外側面に設けた開口に挿入し、当該突出部を前記送風ファンの送風経路内に突出させた状態で、前記ユニット本体の外側面に取付けられているため、送風ファンの送風により突出部に流入した空気が、互いの内部が連通した収納部に流入し、この空気により収納部内の制御基板が効率よく冷却される。
【０００７】
この場合において、前記突出部は、前記送風ファンの吸込口に近接した位置に設けられる構成としてもよい。また、前記空気の排出口は、前記送風ファンの吸込口に対向する面に設けられる構成としてもよい。また、前記空気導入口は、前記突出部の側面に設けられる構成としてもよい。
【発明の効果】
【０００８】
本発明によれば、ユニット本体の外側面に電装箱を備えた空気調和装置であっても、電装箱が、電子部品を収納した収納部と、この収納部に連接され、互いの内部が連通し、空気の導入口および排出口を有した突出部とを備え、電装箱が、突出部をユニット本体の外側面に設けた開口に挿入し、当該突出部を送風ファンの送風経路内に突出させた状態で、ユニット本体の外側面に取付けられているため、送風ファンの送風により突出部に流入した空気が、互いの内部が連通した収納部に流入し、この空気により収納部内の電子部品が効率よく冷却される。従って、建屋の天井空間に設置されるユニット本体の外側面に取付けられた電装箱を簡単に冷却できる。
【発明を実施するための最良の形態】
【０００９】
本発明の一実施形態を図面に基づき説明する。
図１及び図２は、本発明の一実施の形態によるビルトイン型空気調和装置（以下、空気調和装置と呼ぶ）を示している。
この空気調和装置１は、建屋の天井空間３内にボルトを介して懸吊して配設される鋼板製の箱形のユニット本体５を備えている。
ユニット本体５は、図３に示すように、互いに対向配置されて四角枠形状に設けられた４枚の側板１１を備え、各側板１１の上縁部に天板１３が固定され、各側板１１の下縁部に底板１５が固定されている。これらの側板１１、天板１３及び底板１５の一部には断熱材が貼着されている。この側板１１のうち、短辺側の側板１１Ａ、１１Ｂの両端に、吊り金具１７が固着され、この吊り金具１７が、建屋の天井から垂下された吊りボルト（不図示）に止着され、これにより、ユニット本体５が天井に懸吊されている。
【００１０】
このユニット本体５の内部は、図１に示すように、仕切板７によって図中左側の機械室９と、図中右側の熱交換室１０とに分かれており、右側の熱交換室１０には、室内熱交換器２１と、この室内熱交換器２１の下方に当該室内熱交換器２１から流下されるドレン水を受けるドレンパン２３と、このドレンパン２３に貯留されたドレン水を機外に排出するためのドレンポンプ２５とが配置されている。左側の機械室９には、図２に示すように、送風ファン駆動モータ２７と、ユニット本体５の長手方向に送風ファン駆動モータ２７を介して直列に結合される送風ファン２９Ａ、２９Ｂ（例えば約５０枚の翼列からなるシロッコファン）とが配置されている。
【００１１】
ドレンパン２３の下方は、図１及び図２に示すように、上述した底板１５で覆われ、送風ファン２９Ａ、２９Ｂの下方は開放し、ここには図示を省略した吸込グリルが取外し自在に取付けられている。この開放した部分が、ユニット本体５への吸込口３０となっており、ユニット本体５からの吹出口４０は、側板１１Ｃに形成されている。
また、同図に示すように、ユニット本体５の図中右側の側板１１Ｂからは、冷媒（液体）配管接続口３１、冷媒（気体）配管接続口３２、ドレン配管接続口３３が延出し、冷媒（液体）配管接続口３１、冷媒（気体）配管接続口３２は、一端が室内熱交換器２１に接続され、他端が図示しない室外機と繋がっている。また、ドレン配管接続口３３は、一端がドレンポンプ２５に接続され、他端が図示しないドレンホースに接続され、ドレンホースは屋外に導出されている。
【００１２】
本実施の形態では、図２及び図３に示すように、短辺側の側板１１Ｂにおける機械室９側の外面に、電装箱４１が取付けられている。
この電装箱４１は、図４及び図５に示すように、箱形の収納部４５と、これに連通、連接された箱形の突出部４８とを備えている。箱形の収納部４５には、送風ファン２９Ａ、２９Ｂや室内熱交換器２１に接続される電子膨張弁（不図示）等の動作を制御する制御基板４２、電装部品４３及びヒートシンク４４等が収納され、上記制御基板４２は、収納部４５と突出部４８とを連通する連通開口４９に対向して配置され、この開口４９よりも大きな板面を有し、複数の止め具５０により、収納部４５の壁面４５Ａに、当該壁面４５Ａとの間に、所定の間隔Ｋをあけて止着されている。なお、突出部４８の下方には、上記制御基板４２、電装部品４３に接続される配線を通すための円形孔５４が設けられている。
【００１３】
箱形の突出部４８は、収納部４５に対し、ヒートシンク４４側に寄って連接され、互いの内部が上記開口４９を介して連通しており、しかも、空気の導入口（スリット）４６および排出口（スリット）４７を有している。突出部４８は、収納部４５に相似で、相似比三分の一程度の大きさであり、その容積は収納部４５よりもかなり小さく、その内側は中空であり、該中空部は送風経路となる。
【００１４】
この電装箱４１は、図３に示すように、取付けブラケット５１を有し、上記突出部４８をユニット本体５の側板１１Ｂに設けた開口５２内に挿入した状態で、ユニット本体５の外側面に対し、ブラケット５１を介して固定されている。
側板１１Ｂの開口５２内に挿入された突出部４８は、図２に示すように、一方の送風ファン２９Ｂによる送風経路５５内に突出し、この状態で、空気の導入口（スリット）４６を図中の下に向け、排出口（スリット）４７を、送風ファン２９Ｂの吸込軸方向に向けて配置されている。導入口４６は、突出部４８の側板４８Ａに設けられている。また、排出口４７は、側板４８Ａに隣接するとともに、上記送風ファン２９Ｂの吸込口６０に対向する側板４８Ｂの導入口４６から遠い位置に設けられている。
この構成では、導入口４６から入った空気が、制御基板４２の裏面を冷却し、導入口４６から遠い、側板４８Ｂに設けた排出口４７から、送風ファン２９Ｂの吸込軸方向に吹き出され、当該送風ファン２９Ｂに吸引される。
【００１５】
次に動作を説明する。
本実施の形態では、送風ファン２９Ａ、２９Ｂが駆動されると、ユニット本体５への空気の吸込口３０からユニット本体５に空気が吸込まれ、この空気が、室内熱交換器２１で熱交換されて、ユニット本体５の吹出口４０から吹き出され、この吹出口４０にダクト接続された室内側の吹出口を通じて、室内に調和空気が吹き出される。
【００１６】
この過程において、送風ファン２９Ｂの吸込経路には、収納部４５から突出した突出部４８が位置しているため、吸込まれた空気の一部は、突出部４８に設けた導入口４６から、突出部４８の内部に入り、突出部４８に入った空気は、スリット４６を通過する際に、剥離して乱流となる。
収納部４５内には制御基板４２の裏面が露出し、空気は基板裏を通過する際に、強制対流で熱交換し、熱交換して高温となった空気は、その後、突出部４８の側板４８Ｂのスリット４７から突出部４８の外に出て、吸い込み圧力によって送風ファン２９Ｂの吸込口６０の外周部へと導かれる。
【００１７】
本構成では、導入口４６から入った空気が、導入口４６から遠い排出口４７から吹き出されるため、この空気は突出部４８の内部を広く循環し、制御基板４２の裏面を効果的に冷却する。従って、本実施形態によれば、ユニット本体５が設置された天井裏空間よりも温度の低い室内空気によって、基板裏面が常に強制対流にさらされるため、従来のものに比べて電装箱４１をより簡単に冷却できる。電装箱４１内部を通過する空気量が増大し、電装箱４１の温度上昇を抑制することができる。なお、突出部４８にスリットを設けない場合の電装箱４１の温度と比較すると、部位によっては最大約４０℃の温度差ができるという実験データがある。
【００１８】
以上、一実施形態に基づいて、本発明を説明したが、本発明は、これに限定されるものではない。例えば、本実施形態では、突出部本体が直方体であり、開口部として縦に刻まれたスリットを挙げたが、突出部本体を円柱形に形成し、またはスリットをメッシュ状の構造などとすることもできる。
【図面の簡単な説明】
【００１９】
【図１】本発明の一実施の形態を示す断面図である。
【図２】同じく下から見た平面図である。
【図３】ユニット本体の斜視図である。
【図４】電装箱の側面図である。
【図５】電装箱の斜視図である。
【符号の説明】
【００２０】
１  空気調和装置
５  ユニット本体
７  仕切板
９  機械室
１０  熱交換室
２１  室内熱交換器
２９Ａ、２９Ｂ  送風ファン
４１  電装箱
４２  制御基板
４５  収納部
４６  導入口（スリット）
４７  排出口（スリット）
４８  突出部
６０  吸込口
【図１】
2009030829.tif 000003
【図２】
2009030829.tif 000004
【図３】
2009030829.tif 000005
【図４】
2009030829.tif 000006
【図５】
2009030829.tif 000007